(57)【特許請求の範囲】
【請求項１】
特に燃焼機関の潤滑油フィルタであって、
（イ）  フィルタケーシング鉢体（１）が起立させられて配置され、ねじ蓋（２）によって上方から閉鎖可能であり、
（ロ）フィルタケーシング鉢体（１）が浄化しようとする油の供給通路（８）と浄化された油の流出通路（１０）とフィルタケーシング鉢体（１）の中央の底範囲における補助流出通路（１２）とを有し、ねじ蓋（２）が開放されていると、前記補助流出通路（１２）を通って、浄化された油と浄化されていない油とが一緒に流出できるようになっており、
（ハ）  補助流出通路が、ねじ蓋（２）が閉じられている場合に閉鎖されかつねじ蓋（２）が開かれている場合に開放されるようになっており、
（ニ）  星形に畳まれたフィルタウエブ材料から成る、半径方向で外から内へ流過される、軸方向に向けられたリングフィルタインサート（４）が、その上方の端面側の範囲で半径方向で密に、リングフィルタインサート（４）の中心を軸方向に延びる保持体（３）により、保持されており、該保持体（３）からリングフィルタインサート（４）が解離可能であり、
（ホ）  保持体（３）がねじ蓋（２）に回転可能に支承され、フィルタケーシング鉢体（１）の底まで延在しており、保持体（３）が補助流出通路（１２）を、ねじ蓋（２）が閉じられた場合に閉鎖するようになっており、
（ヘ）  フィルタケーシング鉢体（１）の内部に原液室と浄化液室とを形成するために、フィルタインサート（４）の内部が浄化された油のための流出通路（１０）と接続され、フィルタインサート（４）の半径方向外側に位置する、浄化しようとする油のための供給通路（８）を有する外室（９）に対して分離されており、フィルタインサート（４）がその下端部で、原液室と浄化液室とを仕切る壁に、取外し可能に密に結合可能である形式のものにおいて、
（ト）  保持体（３）が、フィルタインサート（４）によって取り囲まれた、該フィルタインサート（４）の端面の間にある範囲で、もっぱら、フィルタインサート（４）に接触する、半径方向で透過性である支持管（５）として構成されており、
（チ）  フィルタインサート（４）が下方の端面において、支持管（５）の、そこでは半径方向に透過性ではない範囲に、緊密に接触しており、
（リ）  支持管（５）の、フィルタインサート（４）の下方の端面に配属された半径方向で透過性ではない範囲が下方に向かって、保持体の下方の自由端部の方向に軸方向で制限されて延張されており、ねじ蓋（２）が閉められた場合にフィルタケーシング鉢体（１）の浄化液室と原液室とを仕切る壁を形成しており、
（ヌ）  支持管（５）の半径方向で透過性でない範囲が、ねじ蓋（２）が閉められた場合にフィルタケーシング鉢体（１）に解離可能に密に接触するようになっている、
ことを特徴とする、特に燃焼機関のための潤滑油フィルタ。
【請求項２】
保持体（３）がその軸方向の長さに亙って、相互に係止された複数の単個部材から組立られている、請求項１記載の潤滑油フィルタ。
【請求項３】
保持体（３）の支持管（５）の上方のキャップ（６）内に溢流弁（１１）が組み込まれている、請求項１又は２記載の潤滑油フィルタ。
【請求項４】
保持体（３）を支承するねじ蓋（２）内において、溢流弁（１１）の上流側に、Ｕ字形の横断面を有するリング状のフィルタシーブ（１３）が接続されており、該フィルタシーブ（１３）がフィルタ軸線に対して平行に延びるＵ字脚で、半径方向で、ねじ蓋（２）の周壁とフィルタインサート（４）の、前記周壁に隣り合う端部円板（１４）との間に緊密に締め込まれている、請求項３記載の潤滑油フィルタ。
【請求項５】
フィルタシーブ（１３）がフィルタインサート（４）の端部円板（１４）に軸方向で固定的に係止可能である、請求項４記載の潤滑油フィルタ。
【請求項６】
端部円板（１４）の環状のリング肩部において前記係止が成されている、請求項５記載の潤滑油フィルタ。
【請求項７】
フィルタケーシング鉢体（１）の下部において、支持管（５）の半径方向で透過性ではない範囲と補助流出通路（１２）を閉鎖する自由端部との間に、保持体（３）が十字形の横断面を有している範囲を有している、請求項１から６までのいずれか１項記載の潤滑油フィルタ。
【発明の詳細な説明】
本発明は請求項１の上位概念に記載した特徴を有する、特に燃焼機関のための潤滑油フィルタに関する。
このような油フィルタはＥＰ０６１２５４９Ａ２号明細書によって公知である。
ＤＥ４１３１３５３Ａ１号明細書によれば主流フィルタインサート及び副流フィルタインサートとを有し、両方のインサートがオイルフィルタねじ蓋に回転可能に支承された保持体に取外し可能に載置されたオイルフィルタが公知である。このフィルタにおいては、保持体は補助流出通路と協働し、蓋が閉じられた場合には通路が閉じられかつ蓋が開かれた場合には通路が開放されるようにはなっていない。さらに、そこでは特に折り畳まれたフィルタウエブ材料から成る、両方のフィルタインサートの１つは、半径方向内側にその全長に亙って、十分には安定的に支承もしくは支持されていない。
これから出発して本発明は、先きに挙げた文献ＥＰ０６１２５４９Ａ２号明細書から導き出されたフィルタの構造を簡易化し、その機能を改善し、付加的にフィルタインサートが半径方向内方へ良好に支えられるようにすることを課題としている。フィルタインサートを半径方向内方に良好に支持することは、その強度に関連した保持性の改善を目的としている。
この問題の根本的な解決策は請求項１の特徴部分に記載した構成を有する当該潤滑油フィルタの構造によって達成された。
本発明の根本思想は、リングフィルタインサートを保持体の上だけに支承し、同時に、ねじ蓋からフィルタケーシング鉢体の底まで延びる保持体を、フィルタインサートの端面の間の範囲で透過性に管状に構成し、この管がリングフィルタインサートの半径方向の内部支持のための支持枠として利用され得るようになっていることである。
本発明の有利な構成は、請求項２以下の対象でありかつ種々の実施例に基づき以下に詳細に説明する。
次に図面に基づき本発明の実施例を説明する。すべての図にはフィルタケーシングが縦断面で概略的に示されている。個々の構成の差異は保持体が長手方向で種々異なる形で分割されていることである。
図面には以下の分割が示されている。
［図１］  保持体はほぼ全長に亙って延びる下部分とその上にスナップ結合されたキャップとから成っている。
［図２］  保持体は相互に係止された３つの部分に分割されている。
［図３］  保持体はキャップを有する上側部分と、該上該部分に係止された下側部分とから成っている。
［図４］  保持体は互いに係止可能な３つの単個部分から成っている。
［図５］  保持体はフィルタインサートの真中よりもいくらか上側で２分割されている。
［図６］  保持体は上側部分と下側部分とから成り、この上側部分と下側部分はフィルタインサートの下方の端面の高さで相互に係止されており、保持体の上方の端部がリング状のフィルタシーブを取り囲んでいる。
フィルタケーシングは上側の開いたフィルタケーシング鉢体１を有し、該フィルタケーシング鉢体１はねじ蓋２で閉鎖可能である。底の範囲にフィルタケーシング鉢体１は壜頸部のようにすぼめられている。
保持体３は係止結合部を介して回転可能にねじ蓋２内に支承されかつリング状のフィルタインサート４を受容している。保持体３がフィルタインサート４によりその両方の端面の間で取囲まれている範囲で、該保持体３は、半径方向で透過性の支持管５として構成され、この支持管５にはリングフィルタインサートが半径方向内側で接触している。支持管５はねじ蓋２に向いた上方の端部でキャップ６によって軸方向に緊密に閉じられている。リングフィルタインサート４の下方の端面の範囲で支持管５は半径方向で非透過性に構成されている。リングフィルタインサート４は半径方向で緊密に上方の端面側でキャップ６に接し、下方の端面側で支持管５の半径方向で非透過性の範囲に接している。
壜頸部状に絞られたフィルタケーシング鉢体１の底範囲では、支持管５の、フィルタインサート４の下側の端面を越えて突出する半径方向で非透過性の範囲がリングシール７を介してフィルタケーシング鉢体１に対してシールされている。
浄化しようとする潤滑油は流入通路８を通って、フィルタインサート４を半径方向で取囲んでいる外室９内に流入する。この外室９から油はリングフィルタインサート４を貫流して支持管内の中央室に流入し、浄化された油としてフィルタケーシング鉢体１から流出通路１０を通って流出する。したがって外室９はフィルタの原液室であり、フィルタインサート４内にあって、下方に向かってフィルタケーシング鉢体１の壜頸部状の付加部に向かって延びている範囲は浄化液室である。リングシール７によってフィルタの浄化液室と原液室は相互に分離されている。この場合、支持管５の半径方向で非透過性の範囲は浄化液室と原液室との間の仕切り壁の１部である。支持管５はフィルタインサート４内にある透過性の範囲においては、フィルタインサートのための内部支持枠として用いることができるように構成されている。
キャップ６には溢流弁１１が組み込まれている。フィルタケーシング鉢体の壜頸部状の底範囲には補助流出通路１２が設けられている。この補助流出通路１２は、保持体３の自由端部により、ねじ蓋２が閉じられると閉鎖される。
保持体３に回転可能に取り付けられたねじ蓋２を開放することにより、補助流出通路１２は自動的に、保持体３の閉鎖部がこの補助流出通路１２の開口から滑り出ることで、開放される。
保持体３をフィルタケーシング鉢体１から引き抜くことによって、付加的に浄化液室と原液室との間にシールリング７によって与えられている閉鎖も解除され、浄化された油と浄化されていない油は一緒に補助流出通路１２を通って流出することができる。
保持体を簡単に、例えばプラスチックから製作できるようにするためには、保持体はその長さに亙って１度ないし数度分割されている。分割された個々の区分は、相互にばね舌片及び対応受けを介して係止されている。分割と係止形式は個々の図面に示されかつ図面から良く判るので、説明するまでもなく理解され得るものと確信する。
図６の構成では支持管５の上端部において、この支持管５とねじ蓋２との間にリング状のシーブフィルタ１３が設けられている。このシーブフィルタ１３は場合によっては溢流弁を通って流れる潤滑油のための粗フィルタとして役立つ。シーブフィルタ１３は全体として、ウエブによって補強されたフィルタ面を有する弾性的なプラスチックから成り、Ｕ字形の横断面を有するリングの形を成している。シーブフィルタ１３は、フィルタ軸線に対して平行に向けられたＵ字脚で、フィルタインサート４の上方の端部円板１４とねじ蓋２の周壁との間に緊密に帯金状に締込まれている。この場合にはシーブフィルタ１３は半径方向で内側に位置するＵ字脚で端部円板１４のリング状の鍔の上に軸方向で、アンダカット状にスナップ結合され得るようにすることができる。これによってシーブフィルタ１３はフィルタインサート４の構成部分として取扱いかつ取付け可能である。ねじ蓋２の内部においては、シーブフィルタ１３はさらに、半径方向のリブ１５を介してねじ蓋２の底に軸方向で支えられていることもできる。
【図１】
0003863565.tif 000002
【図２】
0003863565.tif 000003
【図３】
0003863565.tif 000004
【図４】
0003863565.tif 000005
【図５】
0003863565.tif 000006
【図６】
0003863565.tif 000007